(57)【要約】【課題】毛細管現象を利用して、植木鉢に自動給水を行なう方法に於いて、植木鉢と水収容タンクを別々に構成し、簡略な装置となし、清掃に便で、作成、使用に便利であり、更に水収容タンクの水を効率よく植木鉢に供給し、長期間に亘り、自動給水を行なえる装置を提供する。【解決手段】植木鉢１と水収容タンク９を別体にて構成する。植木鉢１には土３を収納する。植木鉢１と土３の間に植木鉢１の内壁に沿って給水クロス２に供給し、給水クロス２を湿潤させ、該給水クロス２に接する土３を湿らせ、土３中の植物７に給水する。【選択図】  図１
2008154564.tif 000002
【特許請求の範囲】
【請求項１】
鉢内に於いて土と接触して下垂方向、適宜箇所に給水クロスを設置すると共に、給水クロスに給水体の一端を連結自在とし、給水体他端は鉢外に設置する水タンクに浸漬することを特徴とする自動給水植木鉢。
【請求項２】
給水体の一端は、鉢内に於いて土中の給水クロス上端又はその受入部に連結自在としたことを特徴とする請求項１の自動給水植木鉢。
【請求項３】
給水体は水分蒸発を防ぐ外皮にて被覆させたことを特徴とする請求項1又は２に記載の自動給水植木鉢。
【請求項４】
給水クロスは、棒状体に形成させたことを特徴とする請求項１乃至３のうち何れかに記載の自動給水植木鉢。
【請求項５】
給水クロスは、棒状体に形成され、その一部を筒状体にて被覆したことを特徴とする請求項１乃至４の何れかに記載の自動給水植木鉢。
【発明の詳細な説明】
【技術分野】
【０００１】
本発明は、自動給水植木鉢に関する。
【背景技術】
【０００２】
従来、植木鉢を二重に形成し、着脱自在の構成として下部の鉢には水を入れ、上部の鉢には土を入れて植木を植立させると共に、上部の鉢より下部に吸水紐を垂下させて、毛細管現象を利用して吸水紐により土に給水する植木鉢が各種提案されている。
その具体的構成として、上部の植木鉢の底部に孔を穿ち、筒体に多数の吸水性糸材を挿通したものを前記孔に差し込んで、下に垂らした吸水性糸材により毛細管現象を利用して下部の鉢に収納した水を吸水して、上部の鉢の土中に埋没した吸水性糸材により水を土中に吸水するものがある（特許文献１）。
【０００３】
又、他の構成は、上部の植木鉢には底板に置いた吸水マットに吸水紐を接触させておき、上部の植木鉢に開けた孔から、下部の鉢の水に吸水紐を垂らして、水を毛細管現象により吸水マットに水を供給し、吸水マット上の上に浸漬させ、吸水マットに接触した土に水を浸漬させるものである（特許文献２）。
【０００４】
【特許文献１】特開２００２−２７８５４号公報
【特許文献２】特開２００６−２７３２９８号公報
【発明の開示】
【発明が解決しようとする課題】
【０００５】
従来の植木鉢に毛細管現象を利用して、自動的に吸水する装置を設けた植木鉢に於いては、植木鉢を二重に形成し、外鉢の底部に水を張り、内鉢を外鉢の底部に置いた台座に載置する構成であり、内鉢の取替えにより植物の植え替え手数は、必要なくなるメリットはあるが、吸水体は底部に設置されるだけで、吸水範囲は底部の吸水体の近辺に止まり、限定されてしまい、植木鉢全体に必要、且充分な給水は困難である。
【０００６】
又、台座は常に水の中にあるため、その清掃が常に必要であり、簡便な手のかからない使用ということにならない。
又、内外の植木鉢を一体的に形成した構成では、外鉢と内鉢間の結合に機構的な工夫が必要で、水密構造、蓋的構成に製造上の困難性があり、構造上複雑となり、使用上も面倒な操作を強いられることになっている。
【０００７】
これらの現状から、毛細管現象を利用して吸水させる範囲が植木鉢に収納されている草、木、花等の植物に必要な範囲に充分な給水が行なわれこと及び植木鉢の製造及び使用が容易なように構成が簡単で、操作が簡便で、更に清掃保守が容易な植木鉢が求められている。
【課題を解決するための手段】
【０００８】
本発明は上記課題を解決するために、先ず植木鉢と給水タンクは別箇の構成とし、給水部としてタンクは既存の水容器等所望の容器を使用可能とし、更に植木鉢の給水範囲を植える植物に対する所望給水位置に対応して、給水部を設置できるようにしたものである。
【０００９】
本発明は第一に、鉢内に於いて土と接触して下垂方向、適宜箇所に給水クロスを設置すると共に、給水クロスに給水体の一端を連結自在とし、給水体他端は鉢外に設置する水タンクに浸漬することを特徴とする自動給水植木鉢を提案する。
【００１０】
又、第二に、給水体の一端は、鉢内に於いて土中の給水クロス上端又はその受入部に連結自在としたことを特徴とする自動給水植木鉢を提案する。
【００１１】
又、第三に、給水体は水分蒸発を防ぐ外皮にて被覆させたことを特徴とする自動給水植木鉢を提案する。
【００１２】
又、第四に、給水クロスは、棒状体に形成させたことを特徴とする自動給水植木鉢を提案する。
【００１３】
又、第五に、給水クロスは、棒状体に形成され、その一部を筒状体にて被覆したことを特徴とする自動給水植木鉢を提案する。
【発明の効果】
【００１４】
本願発明の請求項１によれば、給水クロスを植木鉢内に設置し、給水体と連結自在とし、別途設ける給水タンクに給水体他端を浸漬する構成であるので、給水タンクは何でも使用でき、且給水クロス、給水体も別々に構成され、その組立、分解は極めて容易で、片付収納が迅速であり、使用、収納に極めて便利である。
【００１５】
又、請求項２によれば、給水体と給水クロスの連結、分解は極めて簡単で、上記利便性を確定的にしている。
【００１６】
請求項３によれば、給水体を外皮にて被覆させることにより、毛細管現象により吸水されてくる水は、外皮内を蒸発が押されて給水クロスに供給され、効率的に給水が行なわれる。更に、給水体に触れても、水濡れすることなく、又、給水体より水が垂れて室内を汚すと云うこともない。
【００１７】
請求項４によれば、給水クロスを巻き回したり、棒状に形成することにより、土中に突刺すことが容易になり、既存の植木鉢に容易に使用することが出来、又、最初から給水クロスを敷設することなく使用できる。
【００１８】
請求項５によれば、給水クロスは、棒状が筒状体に被覆されることになり、更に強固となって、土中等への突刺しが強くでき、堅い土にも容易に使用できる。
【発明を実施するための最良の形態】
【００１９】
本発明を、実施例を基に詳細に説明する。
１は植木鉢で、大小、形状を問わず通常使用される植木鉢を使用できる。２は給水クロスで、植木鉢１の内側に沿って下垂方向に土３との間に設置される。給水クロス２は、植木鉢１の内側全周に敷設されることは必ずしも必要でなく、一定型乃至一定のものを適宜間隔に置いたり、二、三箇所の適宜巾、適宜間隔に設置することも出来る。
【００２０】
又、植木鉢１の上から下まで設置せず、上半分とか３分の１とか、更には上記の間隔でも同様に設置できる。該給水クロス２は、織布、綿布、不織布の外、紐、帯状等その態様は問わないが、吸水性があり、柔軟であるのが良い。
【００２１】
４は、吸水体で、糸、紐、帯或いはそれらを束ねたもの等毛細管現象により、吸水能力を持つもので、外側は水分蒸発を防ぐことの出来るビニール等の合成樹脂製外皮４１により、被覆させることは推奨される。
【００２２】
該吸水体４の一端は、給水クロス２と連結させる構造とする。この連結は、吸水体４の一端を給水クロス２と少なくとも一部が接触して吸水体４に含まれる水が、給水クロス２に供給される状態を云い、吸水体４の一端を、給水クロス２に設けた接触面、切欠等上の給水クロス２に固定した挿通部等の受入部５に受入れたり、給水クロス２の一部を突出させて受入部とし吸水体４の外皮４１内に挿入したり、各種の方法で行なえる。
【００２３】
この際、この連結、受入を確保するべく、吸水体４と給水クロス２間の固定部６を設けることは推奨される。この固定部６としては、テーパー状の挿入部６１と受部６２、雄螺子６３、雌螺子６４、突起形成挿入部６６と係止溝６７の如く、又一方にばね当により弾圧力を有する挟持部を有する如く、固定可能であれば良い。
【００２４】
次いで、その使用について説明する。
先ず、植木鉢１の内周に沿って、給水クロス２を所望箇所に載置する。例えば、給水クロス２を植木鉢１内周全面に設置したり、適宜間隔に設置したり選択できる。
次いで、土３の場合の他、苔、バークレー等を別途或いは共に使用し、該土３、給水クロス２を植木鉢１の内側に押付けるように植木鉢１に収納させる。この土等３と一緒に、又は後程に土等３を掻き分けて、植木鉢、草、花、等の植物７を置き、掻き分けた土等３を埋め戻して安定させる。
【００２５】
又、この際に掻き分けた土３と植木７の間或いは掻き分けた土３中に給水クロス２を埋めて設置させることも出来る。
又、給水クロス２を巻き回したり、棒状に形成して、土３中に埋没乃至突立てることも出来る。更に、この給水クロス２を巻き回したり、棒状に形成した部分を先端部だけでも適宜硬さを有する合成樹脂、金属製のカバー８等にて被覆すれば、更には先端をテーパー状に形成すれば、既存の植木鉢１の土３中に突立て設置することも可能である。
【００２６】
これらカバー等は、突立て後、不要であれば引き上げ或いは取外しても良い。このカバーの形状としては、筒状体、巻回筒等が考えられ、カバーより水の浸出可能なように透孔を穿設することも出来る。
【００２７】
次いで、所望のタンク９に水を張り、吸水体４の先端をタンク９の水に差し込む。一方、吸水体４の先端を給水クロス２の水受入部５に挿通し、等して接触させる。又、必要に応じて給水範囲が広いときは、適宜箇所に吸水体４を夫々設置したり、吸水体４の先端を分けて吸水体４に接触することも可能である。
【００２８】
以上の構成の完成により、吸水体４はタンク９に浸漬した先端より水を扱い、毛細管現象により吸水体４の細孔位置まで揚げた後、自然流下して給水クロス２に受け渡され、給水クロス２内に拡散流下し、給水クロス全体を湿らせる。この給水クロス２に染み込んだ水が多くなり、給水クロス２に接した土３に染み出し、湿潤化させる。このため、植物の根は、この湿潤化した土３より水分を吸収して植物７に給水する。
【図面の簡単な説明】
【００２９】
【図１】本発明一実施例概略説明斜面図
【図２】本発明一要部拡大平面図
【図３】本発明一要部拡大一部切欠平面図
【図４】本発明一要部拡大一部切欠側面図
【図５】本発明一要部拡大一部切欠側面図
【図６】本発明一要部拡大一部切欠側面図
【図７】図６、Ａ−Ａ線断面図
【図８】本発明他実施例要部拡大一部切欠側面図
【図９】本発明他実施例要部横断平面図
【符号の説明】
【００３０】
１  植木鉢
２  給水クロス
３  土
４  吸水体
５  受入部
６  固定部
７  植木
８  カバー
９  タンク
【図１】
2008154564.tif 000003
【図２】
2008154564.tif 000004
【図３】
2008154564.tif 000005
【図４】
2008154564.tif 000006
【図５】
2008154564.tif 000007
【図６】
2008154564.tif 000008
【図７】
2008154564.tif 000009
【図８】
2008154564.tif 000010
【図９】
2008154564.tif 000011